(57)【要約】【課題】操作部の選択に迷うことがなく、誤った操作を防止して、使い勝手がよい情報表示装置を提供する。【解決手段】動画等を表示可能な表示部３と、表示部３の表示面全体が表出する開状態と一部または全部が隠れる閉状態とをカバー４の開閉によって切り替える。また、開状態で操作される第１操作部１１と閉状態で操作される第２操作部１２とを有している。それらは、開状態のときは第２操作部１２が、逆に、閉状態のときは第１操作部１１が、それぞれ表示部３を真正面から見るときの視覚から遮蔽される位置に設けられている。【選択図】図１
2006031348.tif 000002
【特許請求の範囲】
【請求項１】
動画、静止画または文字情報を表示可能な表示部と、
前記表示部の表示面全体が表出する開位置と、当該表示面の一部または全部が隠れる閉位置とに亘って移動可能なカバーと、
前記カバーが開位置に移動するときに表出し、当該カバーが閉位置に移動するときに隠れる位置に配置されている第１操作部と、
前記カバーが閉位置に移動するときに表出し、当該カバーが開位置に移動するときに隠れる位置に配置されている第２操作部と
を有する情報表示装置。
【請求項２】
音声出力部をさらに有し、
前記カバーが閉位置にあり表示面の一部を残して他の部分をカバーで隠すときに表出する前記第２操作部が、音声関係の操作部であり、
前記第１操作部が動画または静止画の映像関係の操作部である
請求項１に記載の情報表示装置。
【請求項３】
前記カバーは、
開位置にあるときの開状態と閉位置にあるときの閉状態とでそれぞれ所定の係止力を付与する係止部と、
開状態の係止状態を抜けたときは、表示部が閉状態となるようにカバーを付勢する付勢手段と、
を備える請求項１に記載の情報表示装置。
【請求項４】
前記カバーは、前記開位置にあるときの開状態と、前記閉位置にあるときの閉状態と、その間の位置にあるときの半開状態とでそれぞれ所定の係止力を付与する係止部を備え、
半開状態で前記第１および第２操作部は、基本操作に関係する一部が表出し、残りの部分が遮蔽される
請求項１に記載の情報表示装置。
【請求項５】
前記カバーが開位置にあるときの開状態または前記閉位置にあるときの閉状態を検出する検出手段と、
検出手段により開状態が検出されると表示内容を動画または静止画にし、閉状態が検出されると表示内容を文字情報にする表示内容制御部と、
をさらに備える請求項１に記載の情報表示装置。
【請求項６】
前記カバーが開位置にあるときの開状態、閉位置にあるときの閉状態、または、その間の位置にあるときの半開状態を検出する検出手段と、
検出手段により開状態が検出されると表示内容を動画または静止画にし、半開状態が検出されると表示内容を文字情報または文字情報と静止画にし、閉状態が検出されると表示内容を文字情報にする表示内容制御部と、
をさらに備える請求項１に記載の情報表示装置。
【請求項７】
動画、静止画、音声または文字、ならびに、それらを組み合わせた情報を再生可能な情報再生装置であって、
前記情報を再生する情報再生部と、
音声を再生する音声出力部と、
音声を除く前記情報を表示する表示部と、
前記表示部の表示面全体が表出する開位置と、当該表示面の一部または全部が隠れる閉位置とに亘って移動可能なカバーと、
当該カバーが開位置にあるときの開状態または前記閉位置にあるときの閉状態を検出する検出部と、
検出部の検出結果を受けて、開状態のときは動画または静止画からなる映像を再生し前記表示部に出力可能な映像再生モードとし、閉状態のときは音声と文字情報、または、音声と文字情報および静止画とを再生し前記音声出力部と前記表示部に出力可能な音声再生モードとする再生モード制御部と、
を有する情報再生装置。
【請求項８】
前記再生モード制御部は、前記情報の記憶録と再生が可能な記憶媒体を検出し、当該記憶媒体に記憶されている情報に動画または静止画を含むが音声を含まないときは初期モードを前記映像再生モードに設定し、音声を含むが動画を含まないときは初期モードを前記音声再生モードに設定し、動画と音声の双方を含むときは初期モードを、前記表示部の開閉状態に応じて決まる映像再生モードまたは音声再生モードに設定する
請求項７に記載の情報再生装置。
【請求項９】
前記再生モード制御部は、前記初期モードの設定後は、再生モードの切り替えを前記表示部の開閉状態に応じて変更する
請求項８に記載の情報再生装置。
【発明の詳細な説明】
【技術分野】
【０００１】
本発明は、たとえば小型ＡＶ機器、携帯電話、インターネット情報検索が可能な携帯情報端末、あるいは電子ブックなどの情報表示装置および情報再生装置に関するものである。
【背景技術】
【０００２】
現在、小型のポータブル機器として、ＡＶ機器、携帯電話、ポケットコンピュータ、さらには電子ブックなど様々な製品が市場に提供されている。
これらの製品は、それぞれ据え置き型製品の小型版として発展してきたものであるが、近年のインターネット接続環境の発展と、記録媒体の小型化、大容量化、さらには部品の小型化にともなって多機能化が進み、音楽や録音音声を聴く機能と、動画や静止画を見る機能は、ほとんどの製品に取り込まれつつあるのが現状である。
【０００３】
そのため、これらの機器は音楽、静止画あるいは動画、さらには文字情報などを表示する表示部を備えるが、その表示デバイスとしては現在、液晶パネルが主流である。
【０００４】
静止画や動画を表示する液晶パネルは、見やすさ向上のためある程度の表示面積を有するが、ガラスを用いているため割れやすい。とくに大型の液晶パネル（3インチ程度）を用いる場合は、押圧や落下によるガラスの割れが市場不良の中で大きな割合を占めている。
そのため、これらの機器には、液晶パネルを保護する保護カバーを必要とする。
【０００５】
また、保護カバーで表示部を覆った状態でも開いた状態と同じように操作ができると便利である。
【０００６】
その２つの要求を満たすために、保護カバーが液晶表示面を覆っているか否かを検出するスイッチを設け、その判別結果に応じて液晶表示画面の表示内容を変化させる携帯情報端末が知られている（たとえば、特許文献１参照）。
【０００７】
この特許文献１に記載の携帯情報端末では、保護カバーの開閉により液晶表示面の見え方（露出面積）が変わり、その露出面積に合わせて表示内容を圧縮して表示させたり、画面一杯に表示されたりするように制御する。この液晶表示部はタッチパネル式の操作部を兼用しており、これによって保護カバーを閉じた状態でも操作が可能となっている。
【特許文献１】特開２００３−２１６２９９号公報
【発明の開示】
【発明が解決しようとする課題】
【０００８】
ところが、タッチパネル式操作部は操作ペンを必要として両手で操作するため、たとえば小型ＡＶ機器などの操作には向かない。
そのため表示部以外の装置面の空きスペースに、主に押圧ボタンなどからなる操作部が設けられるが、多機能化すれば、それだけボタンやスイッチの数が増えてくる。
また、ボタン数等を削減するために、メニュー表示と、その表示項目の選択で多くの機能や性能を選択できるようにしたものがあるが、小型のＡＶ機器など手軽に使いたい製品には、そのような操作方法も向かない。
【０００９】
そうすると、必然的に多くのボタンやスイッチをグループ別に分けて装置本体に配置することになる。この場合、ユーザーにとって現在使用している機能、あるいは次に使いたい機能に必要なボタンやスイッチは限られるが、多機能化が進めば進むほど配置されているボタン等の数が多くなる。
その結果、従来の表示部を有する情報表示装置では、操作の際にボタン等の選択に迷い、あるいは誤った操作がなされる確率が高いという課題があった。
【００１０】
また、とくに小型ＡＶ機器では、映像（動画または静止画）の再生モードと音楽の再生モードとの２つの再生モードを有するが、その切り替えを操作部で行う。この操作部におけるモード切り替え手段としては、オルタネート動作タイプの押圧ボタン、トグル動作タイプのスライドスイッチなどがある。
ところが、押圧ボタンは押すたびに映像と音楽とで再生モードが交互に切り替わることから、現在どちらの再生モードであるのかが液晶パネルの表示を見なければ分からなかった。また、スライドスイッチの場合、配置スペースの関係からスイッチが小さいために操作しにくい上、一目瞭然で現在のモードを判断することはできない。
しかも、モード選択用にボタンやスイッチを設けると、それだけ小型機器の限られた表面積のなかで操作部の面積が大きくなり、またコスト高の要因となっていた。
【００１１】
本発明が解決しようとする第１の課題は、操作部の選択に迷うことがなく、誤った操作を防止して、使い勝手がよい情報表示装置を提供することである。
また、本発明が解決しようとする第２の課題は、操作部の選択に迷うことがなく、誤った操作を防止し、さらに再生モード選択用のスイッチ等を操作部に設ける必要をなくすことによって、使い勝手がよい情報再生装置を提供することである。
【課題を解決するための手段】
【００１２】
本発明に係る情報表示装置は、動画、静止画または文字情報を表示可能な表示部と、前記表示部の表示面全体が表出する開位置と、当該表示面の一部または全部が隠れる閉位置とに亘って移動可能なカバーと、前記カバーが開位置に移動するときに表出し、当該カバーが閉位置に移動するときに隠れる位置に配置されている第１操作部と、前記カバーが閉位置に移動するときに表出し、当該カバーが開位置に移動するときに隠れる位置に配置されている第２操作部とを有する。
好適に、前記カバーが開位置にあるときの開状態または閉状態にあるときの閉状態を検出する検出手段と、検出手段により開状態が検出されると表示内容を動画または静止画にし、閉状態が検出されると表示内容を文字情報にする表示内容制御部と、をさらに備える。
あるいは好適に、前記カバーが開位置にあるときの開状態、閉位置にあるときの閉状態、または、その間の位置にあるときの半閉状態を検出する検出手段と、検出手段により開状態が検出されると表示内容を動画または静止画にし、半開状態が検出されると表示内容を文字情報または文字情報と静止画にし、閉状態が検出されると表示内容を文字情報にする表示内容制御部と、をさらに備える。
【００１３】
本発明に係る情報再生装置は、動画、静止画、音声または文字、ならびに、それらを組み合わせた情報を再生可能な情報再生装置であって、前記情報を再生する情報再生部と、音声を再生する音声出力部と、音声を除く前記情報を表示する表示部と、前記表示部の表示面全体が表出する開位置と、当該表示面の一部または全部が隠れる閉位置とに亘って移動可能なカバーと、当該カバーが開位置にあるときの開状態または閉位置にあるときの閉状態を検出する検出部と、検出部の検出結果を受けて、開状態のときは動画または静止画からなる映像を再生し前記表示部に出力可能な映像再生モードとし、閉状態のときは音声と文字情報、または、音声と文字情報および静止画とを再生し前記音声出力部と前記表示部に出力可能な音声再生モードとする再生モード制御部と、を有する。
【発明の効果】
【００１４】
本発明によれば、操作部の選択に迷うことがなく、誤った操作を防止して、使い勝手がよい情報表示装置を提供することが可能となる。
また、本発明によれば、操作部の選択に迷うことがなく、誤った操作を防止し、さらに再生モード選択用のスイッチ等を操作部に設ける必要をなくすことによって、使い勝手がよい情報再生装置を提供することが可能となる。
【発明を実施するための最良の形態】
【００１５】
本発明は情報表示装置と情報再生装置について適用可能であるが、その双方とも情報を表示する表示部を必須の構成として有し、また、その違いは再生部を必須の構成として有するか否かの違いである。情報表示装置や情報再生装置は、たとえば、内蔵または外部から装着可能な不揮発性メモリカードやＨＤＤを記録媒体とする小型ＡＶ機器、携帯電話、インターネット情報検索が可能な携帯情報端末、あるいは電子ブックの何れでもよい。ここでは、情報再生装置として小型ポータブルＡＶ機器を例として、本発明の実施の形態を説明する。
ポータブルＡＶ機器は、通常、内蔵のあるいは着脱可能の記憶媒体に音楽や映像を記録し、再生する機能（再生モード）を有する。記憶媒体は内蔵であるか着脱式であるかを問わないが、ここでは着脱式を例とする。また、記録機能の有無も必須ではない。
【００１６】
［第１の実施の形態］
図１は、本実施の形態に係る小型ポータブルＡＶ機器の斜視図であり、図１（Ａ）に表示部が閉状態の場合、図１（Ｂ）に開状態の場合を示す。
【００１７】
図１に示すように、この小型ポータブルＡＶ機器１は、本体２と、表示部３と、本体にスライド可能に係合し表示部３の露出面積を段階的に切り替えるカバー４とを備える。
本体２は主にプラスチックや軽金属からなり、表示部３やカバー４を備えるや本体部分が、再生部を備える本体部分に対して、その一辺を軸に開閉するようになっている。この場合、本体２を開いて、その中に記録媒体を収容する。あるいは、本体２は、その図に表れていない面に記録媒体の挿入口が開口している構造でもよい。
本体２は、その厚さ方向の一方の主面に大きく開口した開口部を有し、その開口部に表示部３が臨んで位置している。
【００１８】
表示部３は、たとえば液晶あるいは有機ＥＬなどの固定画素型の映像表示デバイス（表示パネル）を駆動回路等とともにモジュール化したもののうち、表示パネルの有効表示エリアを指す。ここでは、表示部３が液晶表示パネルから構成されている。
【００１９】
カバー４は、ヒンジ部で軸回転可能に開閉する開閉式、あるいは、複数の部材が退避して表示部３を開状態にするシャッター式でもよいが、ここではスライド式のカバー４を有する。
ここで、カバー４が表示部３の表出面積を最小限にする閉位置にある状態を開状態といい、表示部３の表出面積を最大限にする開位置にあるとき開状態という。
図１（Ａ）の閉状態では、表示部３の一部を残して殆どを覆う。また、図示例では、カバー４のスライド方向の一方側が上面視で凹形に形成されている。その凹部４Ａの先端とスライド後に当接してカバー４の動きを規制する、もう一つの凹部２Ａが本体２側に一体形成されている。この突き合わされたときの２つの凹部２Ａと４Ａの形状により閉状態で表出する表示部３の面積が規定される。
【００２０】
カバー４は、不図示のガイドに沿ってスライド方向に移動し、最大限移動した状態で止まるように動きが規制される。この開状態では、図１（Ｂ）に示すように、表示部３の有効表示エリアのほぼ全域が表出するようになる。
【００２１】
とくに図示していないが、開状態では少々の振動程度ではカバー４が動かないようにカバー側の係止部と、本体側の係合部がかみ合って機械的に安定した状態（ロック状態）になる。この係止部と係合部によるロック機構は、図１（Ａ）に示す閉状態側にも設けられている。
このため、カバー４は本体２に対しガイドに沿ってスライドするときに２段階の状態にロックされる。ロック状態から人が手で少しカバー４を動かすと、カバー４はロック状態から抜ける。
また、とくに図示していないが、閉状態の係止状態を抜ける際に、カバー４を開状態に付勢する付勢手段、たとえばバネが設けられており、閉状態からロックを解除すると、カバー４が自動的に閉状態の位置までスライドするようになっている。
【００２２】
本実施の形態の大きな特徴は、カバー４のスライドにともなって表示部３が開状態と閉状態の切り替えができること、さらに、この動作にともなって必要な操作部が、表示部を真正面から見るときの視覚に現われ、不必要な操作部が当該視界から遮蔽されることである。
このようにした理由は、小型のポータブルＡＶ機器１が、表示部３をフルオープン（開状態）にして映像表示する場合（映像再生モード時）と、表示部３を遮蔽または一部オープン（閉状態）にして保護を優先しながら、必要なら文字情報等のみ表示する場合（未使用時または音声再生モード時）とがあり、それぞれの場合に必要な操作部のみ露出させて、見た目をすっきりとさせるためである。また、必要な操作部を露出させることにより、不必要な操作部にユーザーが誤って触れ、これにより誤動作が生じることを防止することができる。
【００２３】
以下、表示部３の開状態と閉状態の切り替えにともなう、操作部の配置について説明する。
【００２４】
この小型ポータブルＡＶ機器１の操作部は、大別すると、表示部３の開状態のときに操作される第１操作部１１、閉状態のときに操作される第２操作部１２、および、開状態と閉状態に共通な共通操作部１３からなる。
これらの第１および第２操作部１１，１２、ならびに、共通操作部１３は、割り当てる機能に応じて最適なもの、たとえば押圧ボタン、スライドスイッチ、回転つまみやリングなどからなる。
【００２５】
第１操作部１１は図１（Ｂ）の状態で表れており、カバー４を閉めて閉状態（図１（Ａ））にしたときに隠れる位置、たとえば表示部３の周囲の、スライド方向と直交する方向の両側に配置されている。
第１操作部１１は、映像再生モード時に使用され音声再生モード時に使用されないものであり、機能としては、輝度やコントラスト調整、バックライトの色変更、映像表示エリアの変更、表示内容変更、動画のコマ送りなどに用いられる。
【００２６】
第２操作部１２は図１（Ａ）の状態で表れており、カバー４を開いて開状態（図１（Ｂ））にしたときに隠れる位置、たとえば表示部３と同じ面の、音声再生モード時の表示窓（前述した２つの凹部２Ａと４Ａ）と反対側の位置に配置されている。
第２操作部１２は、第１操作部１１とは逆に、音声再生モード時に使用され映像再生モード時に使用されないものであり、機能としては、プログラムおよびリピートモード選択、イコライザ機能（ライブ、クラッシック、ロック、ポップ、ノーマルなど）の選択、音洩れ防止機能、語学学習用のプレイバック機能などである。
【００２７】
共通操作部１３は、映像および音声の両再生モードに共通なものであり、たとえば電源投入／遮断、再生開始、再生停止、再生一時停止、トラック送り（早送り）、トラック戻し（巻き戻し）、音量調整などの機能を有する。必要なら録音機能も、この共通操作部１３に含ませることができる。
共通操作部１３は、カバー４の動作に応じて隠れたり現れたりしない位置、たとえばカバー４の上面や本体２の側面に配置されている。
【００２８】
なお、本実施の形態では「第１および第２の操作部は、前記表示部を開状態としているときは第２操作部が、逆に、表示部を閉状態としているときは第１操作部が、それぞれ表示部を真正面から見るときの視覚から遮蔽される位置に設けられている」ことに特徴がある。
ここで「表示部を真正面から見るときの視覚から遮蔽される位置」とは、表示部中央の法線方向から見て、表示部と視点との距離に関係なく常に見えない位置をいう。
したがって、スライド式以外のカバー、たとえば回転式カバーの開閉時には、第１操作部と第２操作部が、たとえば当該回転式カバーの裏表に配置することになって、一方が視覚内にあるときは他方が視覚から遮蔽されることになる。
【００２９】
本実施の形態の他の大きな特徴は、カバー４のスライド（表示部３の開状態と閉状態の切り替え）にともなって、映像再生モードと音声再生モードが切り替わることである。
そのための構成として、表示部３の開状態と閉状態を検出する検出スイッチ（ＳＷ）５が、カバー４の裏面と本体２との間に設けられている。検出スイッチ５は、たとえば２つの電極の接触、非接触により開状態と閉状態を検出する電気スイッチである。
【００３０】
図２に、本実施の形態に係る小型ポータブルＡＶ機器１のブロック図を示す。
上記第１および第２操作部１１と１２、共通操作部１３、ならびに、検出スイッチ５は、当該小型ポータブルＡＶ機器１の全体を制御するマイクロコンピュータ（μ−ｃｏｍ．）６に接続されている。また、マイクロコンピュータ６には、着脱可能な記憶媒体８を収容し、その記憶情報（コンテンツ）を再生する再生部７、音声出力部９、および、表示部３も接続されている。
なお、音声出力部９としては、図１に示す本体２の側面に設けられたヘッドフォンプラグ受けが、これに該当する。また、マイクロコンピュータ６は、本発明の「表示制御部」あるいは「再生モード制御部」の一実施例を構成する。
【００３１】
図３に、電源オンから再生開始までの制御手順をフローチャートで示す。
電源が投入され、これをマイクロコンピュータ６が検知すると、ステップＳＴ１において、マイクロコンピュータ６が再生部７に収容されている記憶媒体８の内容を検索し、ファイルの種類に応じて、その記憶情報が映像（動画または静止画）のみであるか、音声のみであるか、映像と音声を含むかを検出する。ただし、映像ファイルに動画と一緒に含む音声は、ここで言う「音声」ではない。ここで「音声」とは、音楽ファイル、記録音声ファイル等の音声である。
【００３２】
つぎにステップＳＴ２において、マイクロコンピュータ６が、検出結果に応じて初期モードを自動設定する。
具体的には、映像のみの場合は、初期モードを映像再生モードに設定し、音声のみの場合は音声再生モードに設定し、両方を含むときは検出スイッチ５の検出結果に応じて、そのどちらかの再生モードを選ぶ。
なお、このステップＳＴ１とＳＴ２の処理は、電源投入の前に、たとえば記憶媒体が入れ替わったことを検出して予め行ってもよい。
【００３３】
ここで、ユーザーがカバー４を動かして意思表示する場合を想定して、映像および音声の各再生モードのステップＳＴ３ＡとＳＴ３Ｂにおいて、マイクロコンピュータ６が検出スイッチ５の検出結果を監視している。
これらのステップで表示部状態が変化したと判断すると、その判断結果に応じてモード変更する。すなわち、映像再生モードで閉状態が検出されるとフローが音声再生モードに移行し、逆に、音声再生モードで開状態が検出されるとフローが映像再生モードに移行する。
【００３４】
状態変化がない場合は、そのまま次のステップＳＴ４ＡまたはＳＴ４Ｂで、再生操作の待ち状態となる。
再生操作があると、映像再生モードの場合は、再生操作に応じてユーザーが選択した映像ファイルを再生部７が再生し、表示部３に動画または静止画を出力し、付属音声がある場合は、その音声を音声出力部９から出力する。同様に音声再生モードの場合は、再生操作に応じてユーザーが選択した曲を、選択した再生環境で音声出力部９から音声として出力し、表示部３に曲名などを表示する。
【００３５】
本実施の形態では、以下の利点がある。
音楽再生時にカバー４が表示部３の殆どを覆っている。音楽再生時は表示部を常に見る必要がないので、ユーザーは当該機器をかばんやポケットに入れることが多く、表示部３の保護、液晶パネルに外力が加わるときの補強が必要となる。カバー４を閉めると、その保護と補強ができる。また、落下・押圧などによる液晶パネルの割れが防止でき、市場不良を減少させることができる。
【００３６】
また、カバー４を閉めるとき閉状態にロックすることができることから、かばんやポケット内でカバー４が不用意に開くことなく、液晶パネルの保護と補強を確実に行える。
【００３７】
カバー４のスライドによる表示部３の開状態と閉状態との切り替えによって、映像再生モードと音声再生モードの切り替えができる。このためユーザーは、自分が音楽を聴くモードにいるのか、映像を見るモードにいるのかを視覚により瞬時に判断することができる。
なお、再生モード切り替えを、このカバー４の開閉のみで行うようにすると、より望ましい。つまり、操作部にモード切り替えのボタン等をなくすことができ、その分、配置スペースの節約、部品の削減、ひいてはコストの削減が可能となる。
【００３８】
また、記憶媒体の記憶情報（ファイルの種類）に応じて再生モードを自動で初期設定できるので、ユーザーが再生しようとするときのレスポンスが早く、また、確実な再生動作を実現できる。また、たとえ機器に電源が入っていなかったとしても、初期状態から使いたいモードに入ることも可能である。
【００３９】
さらに、現在のモードで使われないボタン等はカバー４で隠すことによって、使われるボタン等のみを見せることができるので、ユーザーは使いたいボタンを選択しやすくなる。また、誤操作も防止できる。
この操作部の表出と遮蔽は、ユーザーの使い勝手を向上させるだけでなく、機器の外形の変化がモードの切り替えを印象的にする面白さを持たせ、さらには、意匠的にすっきりとする効果も持っている。
【００４０】
［第２の実施の形態］
図４に、本実施の形態に係る小型ポータブルＡＶ機器を示す。
本実施の形態では、表示部３の開状態と閉状態（図１参照）のほかに、その中間の半開状態の設定ができる。図４は、半開状態時の様子を示す。
半開状態が可能にするには、カバー４のスライド時に途中でロックできる係止機構とすること、検出スイッチが半開状態の検出が可能なこと、さらには、マイクロコンピュータ６が半開状態に応じて表示内容の制御が可能なことが必要である。なお、図２の構成は、本実施の形態でも適用でき、図３のフローチャートでは、音声再生モードが、さらにフル（表示）モードと簡易（表示）モードに別れ、それぞれ表示部状態の検出が必要になる。この場合の表示状態の検出は、開状態、半開状態、閉状態を検出し、検出結果に応じてモード変更を行う。
【００４１】
図５（Ａ）〜図５（Ｃ）に表示内容の例を示す。
図５（Ａ）に示す簡易モードでは、たとえば、トラックＮｏ、曲名、経過時間等を１〜２行程度で表示する。
図５（Ｂ）に示すフルモードでは、さらに、アーティスト名、トータル時間、ジャケット写真等（アーティスト写真、イメージの写真や動画でも可能）を表示する。
図５（Ｃ）に示す映像モードでは、動画や静止画を画面一杯に表示する。
【００４２】
なお、図４に示す半開状態では、第１操作部１１のうち、よく使う基本的なボタン等のみが現れるようにすることが望ましい。このようなものとして、たとえば画像エリアの内容変更、バックライトの色を変えて嗜好を変える機能、イコライザ機能選択などのためのボタン等がある。
【００４３】
本実施の形態では、第１の実施の形態の効果に加え、保護と補強を最小限行いながら、音楽再生時の楽しみ方が増え、嗜好性がまして魅力的なＡＶ機器を実現できるという利点がある。
【図面の簡単な説明】
【００４４】
【図１】本発明の第１および第２の実施の形態に係る小型ポータブルＡＶ機器の斜視図であり、（Ａ）は表示部が閉状態の場合、（Ｂ）は開状態の場合である。
【図２】第１および第２の実施の形態に係る小型ポータブルＡＶ機器１のブロック図である。
【図３】第１の実施の形態において、電源オンから再生開始までの制御手順をフローチャートで示す。
【図４】第２の実施の形態に係る小型ポータブルＡＶ機器の半開状態の斜視図である。
【図５】（Ａ）〜（Ｃ）は、第２の実施の形態での表示内容の例を示す図である。
【符号の説明】
【００４５】
１…小型ポータブルＡＶ機器、２…本体、３…表示部、４…カバー、５…検出スイッチ、６…マイクロコンピュータ、７…再生部、８…記憶媒体、９…音声出力部、１１…第１操作部、１２…第２操作部、１３…共通操作部
【図１】
2006031348.tif 000003
【図２】
2006031348.tif 000004
【図３】
2006031348.tif 000005
【図４】
2006031348.tif 000006
【図５】
2006031348.tif 000007